(57)【特許請求の範囲】
【請求項１】
光ヘテロダイン方式により、電気信号を広帯域周波数変調信号（以下、広帯域ＦＭ変調信号）に変換し、さらに再変換するためのＦＭ変復調装置であって、
入力電気信号の振幅変化を光強度および光周波数の変化に一意に変換する所定の性質を備え、所定の中心波長λ1の光信号を出力する周波数変調用レーザ（以下、ＦＭレーザ）と、
所定の波長λ0の光を出力する局部発振光源（以下、局発光源）と、
自乗検波特性により、前記ＦＭレーザからの光信号と、前記局発光源からの光とを光ヘテロダイン検波して、両光信号の波長差△λ（＝｜λ1−λ0｜）に相当する中心周波数ｆc（＝１／｜λ1−λ0｜）においてビート信号（ＦＭ変調信号）を発生する光検波部と、
前記光検波部からのＦＭ変調信号を伝送する伝送部と、
前記伝送部からの平均振幅ＡcのＦＭ変調信号をパルス化する識別部と、
前記識別部からの出力信号を分岐する分岐部と、
前記分岐部からの一方の出力信号に所定の伝搬遅延量を付与する遅延部と、
前記遅延部からの出力信号と、前記分岐部からのもう一方の出力信号との論理積（または排他的論理和）を出力する論理演算部と、
前記ＦＭ変調信号について、当該瞬時周波数の上昇と共に当該瞬時振幅が減少するように、かつ前記ＦＭ変調信号の中心周波数ｆcが所定値になるように、前記ＦＭレーザまたは前記局発光源を制御する制御部とを備えることを特徴とするＦＭ変復調装置。
【請求項２】
光ヘテロダイン方式により、電気信号を広帯域周波数変調信号（以下、広帯域ＦＭ変調信号）に変換し、さらに再変換するためのＦＭ変復調装置であって、
入力電気信号の振幅変化を光強度および光周波数の変化に一意に変換する所定の性質を備え、所定の中心波長λ1の光信号を出力する周波数変調用レーザ（以下、ＦＭレーザ）と、
所定の波長λ0の光を出力する局部発振光源（以下、局発光源）と、
自乗検波特性により、前記ＦＭレーザからの光信号と、前記局発光源からの光とを光ヘテロダイン検波して、両光信号の波長差△λに相当する中心周波数ｆc（＝１／｜λ1−λ0｜）においてビート信号（ＦＭ変調信号）を発生する光検波部と、
前記光検波部からのＦＭ変調信号を伝送する伝送部と、
前記伝送部からのＦＭ変調信号の平均振幅Ａcを所定値に調整する振幅調整部と、
前記振幅調整部からのＦＭ変調信号をパルス化する識別部と、
前記識別部からの出力信号を分岐する分岐部と、
前記分岐部からの一方の出力信号に所定の伝搬遅延量を付与する遅延部と、
前記遅延部からの出力信号と、前記分岐部からのもう一方の出力信号との論理積（または排他的論理和）を出力する論理演算部と、
前記ＦＭ変調信号について、当該瞬時周波数の上昇と共に当該瞬時振幅が減少するように、かつ前記ＦＭ変調信号の中心周波数ｆcが所定値になるように、前記ＦＭレーザまたは前記局発光源を制御する制御部とを備えることを特徴とするＦＭ変復調装置。
【請求項３】
前記ＦＭレーザは、当該瞬時光周波数の上昇と共に当該瞬時光強度が減少する性質を備え、
前記制御部は、前記ＦＭレーザの中心波長λ1が、前記局発光源の波長λ0に対して小さくなるように制御することを特徴とする請求項１または２に記載のＦＭ変復調装置。
【請求項４】
前記ＦＭレーザは、当該瞬時光周波数の低下と共に当該瞬時光強度が増大する性質を備え、
前記制御部は、前記ＦＭレーザの中心波長λ1が、前記局発光源の波長λ0に対して大きくなるように制御することを特徴とする請求項１または２に記載のＦＭ変復調装置。
【請求項５】
前記ＦＭ変調信号の当該瞬時周波数の変化に対する瞬時振幅の１次の変化率−α（αは整数、α＞０）と、前記ＦＭ変調信号の中心周波数ｆcと、前記識別部に入力されるＦＭ変調信号の平均振幅 Ａcが、（数１）
【数１】
0003918249.tif 000009
を満足することを特徴とする請求項１または２に記載のＦＭ変復調装置。
【発明の詳細な説明】
【０００１】
【発明の属する技術分野】
本発明は、半導体レーザと光ヘテロダイン検波を利用して、より広帯域な周波数変調信号（以下、ＦＭ変調信号）を発生し、これを復調する変復調装置に関する。
【０００２】
【従来の技術】
図６は従来のＦＭ変復調装置の構成を示したブロック図である。この構成のＦＭ変復調装置は、例えば文献（K.Kikushima, et al, "Optical Super Wide-Band FM Modulation Scheme and Its Application to Muti-Channel AM Video Transmission Systems", IOOC'95 Technical Digest, Vol.5 PD2-7, pp.33-34）に示されている。図６において、本ＦＭ変復調装置は、信号源６００と、周波数変調用レーザ（以下、ＦＭレーザ）６０１と、局発光源６０２と、光検波部６０３と、伝送部６０４と、識別部６０５と、分岐部６０６と、遅延部６０７と、論理演算部６０８と、フィルタ６０９とを備えている。なお、ＦＭレーザ６０１から光検波部６０３に至る部位を、ＦＭ変調装置６００１とし、識別部６０５から論理演算部６０８に至る部位を、ＦＭ復調装置６００２とする。
【０００３】
上記のように構成されたＦＭ変復調装置において、信号源６００はＦＭ変調すべき元信号となる電気信号を出力する。ＦＭレーザ６０１は、半導体レーザで構成され、注入電流一定の条件では一定波長λ1の光を発振し、注入電流を振幅変調すると、光強度と共に発振波長（光周波数）も変調を受け、波長λ1を中心とした光周波数変調信号を出力する。局発光源６０２は、一定波長λ0の無変調光を出力する。ＦＭレーザ６０１からの出力光信号、および局発光源６０２からの出力光は合波され、光検波部６０３に入力される。光検波部６０３は、自乗検波特性を有するフォトダイオードなどで構成され、ＦＭレーザ６０１からの出力光信号と局発光源６０２からの出力光の波長差△λに相当する周波数ｆcにおいて当該２つの光のビート信号を出力する（この動作を、光ヘテロダイン検波と呼ぶ）。このようにして得られたビート信号は、信号源６００からの電気信号を元信号としたＦＭ変調信号となる。識別部６０５は、伝送部６０４によって伝送されたＦＭ変調信号について、予め定められた閾値で識別、パルス化し、分岐部６０６は、識別部６０５からのパルス化ＦＭ変調信号を２分岐する。遅延部６０７は、分岐部６０６からの一方の出力信号に所定の伝搬遅延量を付与し、論理演算部６０８は、遅延部６０７からの出力信号と、分岐部６０６からのもう一方の出力信号との論理積（または排他的論理和）を作成し、出力する。フィルタ６０９は、論理演算部６０８からの出力信号について、前記信号源６００からの電気信号が占有する当該周波数帯域の信号成分のみを透過する。
【０００４】
以上のように、従来のＦＭ変復調装置では、ＦＭレーザ６０１と局発光源６０２に適当なものを使用することによって、一般の電気回路によるＦＭ変調装置では実現困難な高周波かつ広帯域なＦＭ変調信号を容易に生成し、また、論理演算部６０８などに高速ディジタル論理素子を用いた遅延検波系によって、これを容易に復調する。
【０００５】
但し、半導体レーザは、チャープ効率（注入電流の振幅変化に対する光周波数の変化率）が高く、発振安定性などの点で取り扱いが容易で、ＦＭレーザとして最適であるが、その構造上、出力光強度も変調を受けるため、光検波部６０３において得られる広帯域ＦＭ変調信号は、同時に振幅変調を受けたものとなる（図７(a)参照）。このようなＦＭ変調信号を遅延検波すると、その瞬時振幅に応じて復調効率が変動し、復調信号に歪が生じる。そこで、識別部６０５が、ＦＭ変調信号をパルス化し（図７(b)参照）、振幅変調成分を除去することによって、安定なＦＭ復調を実現することができる。
【０００６】
【発明が解決しようとする課題】
上記のような構成を有する従来のＦＭ変調装置では、ＦＭレーザ６０１に半導体レーザを使用するため、広帯域ＦＭ変調信号に振幅変調成分を有するが、遅延検波系（分岐部６０６〜論理演算部６０８）への入力前に、識別部６０５でＦＭ変調信号をパルス化することにより、これを除去している。しかしながら、図７(b)に示すように、識別部６０５における識別レベルに最適値（ＦＭ変調信号の中心レベル）からのズレａがあると、パルス化後のＦＭ変調信号の立ち上がりタイミングにズレが生じ、このズレ量（ｔ1、ｔ2）は、ＦＭ変調信号の瞬時周波数または瞬時振幅に依存し一定でないため（ｔ1≠ｔ2）、復調信号の直線歪となる。あるいは、これを防ぐために、識別レベルを高精度に調整する必要があるという課題を有していた。
【０００７】
それ故に、本発明の目的は、ＦＭ復調時におけるＦＭ変調信号の識別精度を緩和し、直線歪の発生を抑圧することのできるＦＭ変復調装置を提供することである。
【０００８】
【課題を解決するための手段】
第１の発明は、光ヘテロダイン方式により、電気信号を広帯域周波数変調信号（以下、広帯域ＦＭ変調信号）に変換し、さらに再変換するためのＦＭ変復調装置であって、
入力電気信号の振幅変化を光強度および光周波数の変化に一意に変換する所定の性質を備え、所定の中心波長λ1の光信号を出力する周波数変調用レーザ（以下、ＦＭレーザ）と、
所定の波長λ0の光を出力する局部発振光源（以下、局発光源）と、
自乗検波特性により、ＦＭレーザからの光信号と、局発光源からの光とを光ヘテロダイン検波して、両光信号の波長差△λ（＝｜λ1−λ0｜）に相当する中心周波数ｆc（＝１／｜λ1−λ0｜）においてビート信号（ＦＭ変調信号）を発生する光検波部と、
光検波部からのＦＭ変調信号を伝送する伝送部と、
伝送部からの平均振幅ＡcのＦＭ変調信号をパルス化する識別部と、
識別部からの出力信号を分岐する分岐部と、
分岐部からの一方の出力信号に所定の伝搬遅延量を付与する遅延部と、
遅延部からの出力信号と、分岐部からのもう一方の出力信号との論理積（または排他的論理和）を出力する論理演算部と、
ＦＭ変調信号について、当該瞬時周波数の上昇と共に当該瞬時振幅が減少するように、かつＦＭ変調信号の中心周波数ｆcが所定値になるように、ＦＭレーザまたは局発光源を制御する制御部とを備える。
【０００９】
第２の発明は、光ヘテロダイン方式により、電気信号を広帯域周波数変調信号（以下、広帯域ＦＭ変調信号）に変換し、さらに再変換するためのＦＭ変復調装置であって、
入力電気信号の振幅変化を光強度および光周波数の変化に一意に変換する所定の性質を備え、所定の中心波長λ1の光信号を出力する周波数変調用レーザ（以下、ＦＭレーザ）と、
所定の波長λ0の光を出力する局部発振光源（以下、局発光源）と、
自乗検波特性により、ＦＭレーザからの光信号と、局発光源からの光とを光ヘテロダイン検波して、両光信号の波長差△λに相当する中心周波数ｆc（＝１／｜λ1−λ0｜）においてビート信号（ＦＭ変調信号）を発生する光検波部と、
光検波部からのＦＭ変調信号を伝送する伝送部と、
伝送部からのＦＭ変調信号の平均振幅Ａcを所定値に調整する振幅調整部と、
振幅調整部からのＦＭ変調信号をパルス化する識別部と、
識別部からの出力信号を分岐する分岐部と、
分岐部からの一方の出力信号に所定の伝搬遅延量を付与する遅延部と、
遅延部からの出力信号と、分岐部からのもう一方の出力信号との論理積（または排他的論理和）を出力する論理演算部と、
ＦＭ変調信号について、当該瞬時周波数の上昇と共に当該瞬時振幅が減少するように、かつＦＭ変調信号の中心周波数ｆcが所定値になるように、ＦＭレーザまたは局発光源を制御する制御部とを備える。
【００１０】
第３の発明は、前記第１または第２の発明において、
ＦＭレーザは、当該瞬時光周波数の上昇と共に当該瞬時光強度が減少する性質を備え、
制御部は、ＦＭレーザの中心波長λ1が、局発光源の波長λ0に対して小さくなるように制御する。
【００１１】
第４の発明は、前記第１または第２の発明において、
ＦＭレーザは、当該瞬時光周波数の上昇と共に当該瞬時光強度が増大する性質を備え、
制御部は、ＦＭレーザの中心波長λ1が、局発光源の波長λ0に大して大きくなるように制御する。
【００１２】
第５の発明は、前記第１または第２の発明において、
ＦＭ変調信号の当該瞬時周波数の変化に対す当該瞬時振幅の１次の変化率α（αは整数、α＞０）と、ＦＭ変調信号の中心周波数ｆcと、識別部に入力されるＦＭ変調信号の平均振幅 Ａcが、（数１）を満足する。
【００１３】
【発明の実施の形態】
本発明の一実施形態に係るＦＭ変調装置について、図１にその構成をブロック図を示すと共に、以下に説明する。図１において、本実施形態のＦＭ変調装置は、信号源１００と、周波数変調用レーザ（以下、ＦＭレーザ）１０１と、局部発振光源（以下、局発光源）１０２と、光検波部１０３と、伝送部１０４と、識別部１０５と、分岐部１０６と、遅延部１０７と、論理演算部１０８と、フィルタ１０９と、制御部１１０を備えている。さらに、制御部１１０は、第２の光検波部１１０１と、ＦＭ復調部１１０２と、動作条件制御部１１０３とを備えている。
【００１４】
次に、図１に示す実施形態の動作を説明する。ＦＭレーザ１０１は、半導体レーザで構成され、信号源１００から出力される電気信号によって注入電流を振幅変調することにより、光強度変調成分を伴った中心波長λ1の光周波数変調信号を出力する。光検波部１０３は、自乗検波特性を有し、ＦＭレーザ１０１からの光周波数変調信号と、局発光源１０２から出力される波長λ0の光とを光ヘテロダイン検波することによって、当該波長差△λ（＝｜λ1−λ0｜）に相当する中心周波数ｆcに、光周波数変調信号をダウンコンバートしたＦＭ変調信号を出力する。識別部１０５は、伝送部１０４によって伝送されたＦＭ変調信号を、予め定められた閾値において識別、パルス化する（図２参照）。分岐部１０６が、パルス化されたＦＭ変調信号を分岐した後、その一方について遅延部１０７が所定の伝搬遅延量を付与し、論理演算部１０８は、遅延部１０７からの出力信号と、分岐部１０６からのもう一方の出力信号との論理積（または排他的論理和）を生成する。フィルタ１０９は、論理演算部１０８からの出力信号について、信号源１００からの電気信号が占有する当該周波数帯域の成分のみを透過する。
【００１５】
制御部１１０は、識別部１０５におけるＦＭ変調信号のパルス化に際して発生する直線歪を抑圧するために、ＦＭレーザ１０１または局発光源１０２の動作条件を制御して、ＦＭ変調信号の当該瞬時周波数の上昇と共に当該瞬時振幅が減少するように調整し、かつＦＭ変調信号の中心周波数ｆcを所定値に設定する。その動作を詳しく説明する。図２は、識別部１０５に入力されるＦＭ変調信号とパルス化後のＦＭ変調信号の波形を、異なる瞬時時間（Ｔ1、Ｔ2）において、模式的に示している。ＦＭ変調信号は、上述したように、周波数変調成分と共に振幅変調成分を有しており、瞬時周波数の変化に対する瞬時振幅の変化率を−α（αは整数、α＞０）とし、識別部１０５に入力するＦＭ変調信号の平均振幅（瞬時周波数ｆcの場合における瞬時振幅）をＡc（Ａc＞０）とすると、識別部１０５に入力されるＦＭ変調信号の瞬時周波数ｆと、対応する瞬時振幅Ａ（ｆ）は、以下の式（数２）のように関係付けられる。
【００１６】
【数２】
0003918249.tif 000002
【００１７】
図２では、瞬時周波数ｆ1（＝ｆc−△ｆ）およびｆ2（＝ｆc＋△ｆ）において、それぞれ以下の式（数３）、（数４）で表される瞬時振幅Ａ1およびＡ2を有している（Ａ1＞Ａ2）。但し、図２に示すように、瞬時振幅Ａ1およびＡ2は、実際の瞬時振幅（Ａ1’およびＡ2’）に対し近似的に表したものとする。
【００１８】
【数３】
0003918249.tif 000003
【００１９】
【数４】
0003918249.tif 000004
【００２０】
このＦＭ変調信号を、識別部１０５が、ＦＭ変調信号の中心レベル（Ｖ0）からのズレａの閾値Ｖref で識別すると、パルス化ＦＭ変調信号の立ち上がりタイミング（パルスの発生時間）の各ズレ量ｔ1、ｔ2は、以下の式（数５）、（数６）で表される。
【００２１】
【数５】
0003918249.tif 000005
【００２２】
【数６】
0003918249.tif 000006
【００２３】
さらに、パルス発生時間のズレの偏差△ｔは、（数７）と表される。
【００２４】
【数７】
Δｔ＝ｔ２−ｔ１
＝（ａ／４）・２Δｆ（αｆc−Ａc）／（（ｆc−Δｆ2）（Ａc−α2Δｆ2））
【００２５】
上式は、パルス発生時間のズレの偏差△ｔが、周波数偏差△ｆの１次式で表現されており、このようなＦＭ変調信号を復徴すると、２次の直線歪が発生することを示している。上式より、（数１）の条件を満たすように、制御部１１０は、ＦＭ変調信号の中心周波数ｆcを設定することによって、識別部１０５における識別用閾値のズレａの大きさに関わらず、瞬時周波数の差異によるパルス発生時間のズレの偏差を抑圧し（△ｔ＝０）、ＦＭ変調信号のパルス化に際して発生する直線歪を低減することができる。
【００２６】
以上説明したように、第１の発明によれば、ＦＭレーザまたは局発光源を最適に制御することによって、ＦＭ変調信号の識別時に発生する直線歪を抑圧し、その識別精度を緩和することができる。
【００２７】
本発明の別の実施形態に係るＦＭ変調装置について、図３にその構成をブロック図を示すと共に、以下に説明する。図３において、本実施形態のＦＭ変調装置は、図１の制御部１１０に代えて、振幅調整部３０１を備える。
【００２８】
次に、図３に示す実施形態の動作を説明する。本実施の形態の構成は、前述の第１の実施の形態に準ずるため、相違点のみを以下に説明する。その構成において、ＦＭレーザ１０１または局発光源１０２は、ＦＭ変調信号の当該瞬時周波数の上昇に対して当該瞬時振幅が減少するように、各動作条件を設定される。振幅調整部３０１は、識別部１０５に入力するＦＭ変調信号の振幅を調整して、ＦＭレーザ変調信号の当該瞬時周波数の変化に対する当該瞬時振幅の変化率−α、ＦＭ変調信号の中心周波数ｆcに対して、識別部１０５への入力時の平均振幅Ａcが、（数１）を満たすように設定する。
【００２９】
以上説明したように、第２の発明によれば、識別部に入力するＦＭ変調信号の振幅を最適に制御することによって、任意の中心周波数ｆcのＦＭ変調信号に対し、その識別時に発生する直線歪を抑圧し、その識別精度を緩和することができる。
【００３０】
本発明の第３の実施形態に係るＦＭ変調装置について、図４にその構成をブロック図を示すと共に、以下に説明する。図４において、本実施形態のＦＭ変調装置は、図１に加えて、振幅調整部３０１を備える。
【００３１】
次に、図４に示す実施形態の動作を説明する。本実施の形態の構成は、前述の第１の実施の形態に準ずるため、相違点のみを以下に説明する。その構成において、制御部１１０が、ＦＭレーザ１０１または局発光源１０２の動作条件を制御して、ＦＭ変調信号の当該瞬時周波数の上昇に対して当該瞬時振幅が減少し、かつＦＭ変調信号の中心周波数ｆcを調整すると共に、振幅調整部３０１が、識別部１０５に入力するＦＭ変調信号の振幅を調整して、ＦＭ変調信号の瞬時周波数の変化に対する瞬時振幅の変化率−αに対して、ＦＭ変調信号の中心周波数ｆc、および識別部１０５への入力時の平均振幅Ａcが、（数１）を満たすようにする。
【００３２】
以上説明したように、第３の発明によれば、ＦＭレーザまたは局発光源を最適に制御し、かつ識別部に入力するＦＭ変調信号の振幅を最適に制御することによって、より柔軟にＦＭ変調信号の識別時に発生する直線歪を抑圧し、その識別精度を緩和することができる。
【００３３】
本発明の第４および第５の実施形態に係るＦＭ変調装置について、以下に説明する。本実施の形態の構成は、前述の第１、第２または第３の実施の形態に準ずるため、相違点のみを以下に説明する。その構成において、第４の実施の形態では、ＦＭレーザ１０１は、当該瞬時光周波数の上昇と共に当該瞬時光強度が減少する性質を備えた半導体レーザであり、制御部１１０は、ＦＭレーザ１０１の波長λ1が局発光源１０２の波長λ0に対して小さくなるように、すなわち、図５(a)に示すようにＦＭレーザ１０１の光周波数が局発光源１０２の光周波数より高周波になるように、ＦＭレーザ１０１または局発光源１０２の動作条件を制御する。
【００３４】
また、第５の実施の形態では、ＦＭレーザ１０１は、当該瞬時光周波数の上昇と共に当該瞬時光振幅が増大する性質を備えた半導体レーザであり、制御部１１０は、ＦＭレーザ１０１の波長λ1が局発光源１０２の波長λ0に対して大きくなるように、すなわち、図５(b)に示すようにＦＭレーザ１０１の光周波数が局発光源１０２の光周波数より低周波になるように、ＦＭレーザ１０１または局発光源１０２の動作条件を制御する。
【００３５】
以上説明したように、第４または第５の発明によれば、ＦＭレーザとして、当該注入電流の増大に対して、当該発振波長が、長波長側に変化するタイプ、あるいは短波長側に変化するタイプのどちらを採用した場合においても、ＦＭレーザと局発光源の各発振波長の相対的な関係を適切に制御することによって、（数２）に示した関係を実現し、これによって、ＦＭ変調信号の識別時に発生する直線歪を抑圧し、その識別精度を緩和することができる。なお、ＦＭ変調信号の当該瞬時周波数の変化に対する当該瞬時振幅の変化率αは、ＦＭレーザの当該瞬時光周波数の変化に対する当該瞬時光強度の変化率βと、以下のように関係付けられる。
【００３６】
すなわち、第４の発明においては、（数８）であり、
【００３７】
【数８】
0003918249.tif 000007
【００３８】
第５の発明においては、（数９）である。
【００３９】
【数９】
0003918249.tif 000008
【００４０】
【発明の効果】
第１の発明では、制御部が、ＦＭレーザまたは局発光源の動作条件（バイアス電流値または環境温度）を制御することによって、光検波部で得られるＦＭ変調信号について、当該瞬時周波数の上昇と共に当該瞬時振幅が減少するように設定し、かつ、ＦＭ変調信号の中心周波数（搬送波周波数）ｆcを所定値に調整する。すなわち、ＦＭレーザの瞬時光周波数の変化に対する瞬時光強度の１次の変化率と、識別部へ入力するＦＭ変調信号の平均振幅Ａcに対して、ＦＭレーザまたは局発光源の発振波長を最適に制御することによって、ＦＭ変調信号の識別時に発生する直線歪を抑圧し、その識別精度を緩和できる。
【００４１】
第２の発明では、制御部が、ＦＭレーザまたは局発光源の動作条件（バイアス電流値または環境温度）を制御することによって、光検波部で得られるＦＭ変調信号について、当該瞬時周波数の上昇と共に当該瞬時振幅が減少するように設定し、かつ、ＦＭ変調信号の中心周波数（搬送波周波数）ｆcを所定値に調整する。また、振幅調整部が、識別部へ入力するＦＭ変調信号の平均振幅Ａcを所定値に調整する。すなわち、ＦＭレーザの瞬時光周波数の変化に対する瞬時光強度の１次の変化率に対して、ＦＭレーザまたは局発光源の発振波長を最適に制御し、ＦＭ変調信号の振幅を最適に設定することによって、より柔軟にＦＭ変調信号の識別時に発生する直線歪を抑圧し、その識別精度を緩和できる。
【００４２】
第３および第４の発明では、ＦＭレーザとして、当該注入電流の増大に対して、当該発振波長が、長波長側に変化するタイプ、あるいは短波長側に変化するタイプのどちらを採用した場合においても、ＦＭレーザと局発光源の各発振波長の相対的な関係を適切に制御することによって、ＦＭ変調信号の当該瞬時周波数の上昇と共に当該瞬時振幅が減少するように設定し、ＦＭ変調信号の識別時に発生する直線歪を抑圧し、その識別精度を緩和できる。
【００４３】
第５の発明では、ＦＭ変調信号の当該瞬時周波数の変化に対する瞬時振幅の１次の変化率αと、ＦＭ変調信号の中心周波数ｆcと、識別部に入力されるＦＭ変調信号の平均振幅 Ａcが、（数１）の関係を満足することによって、ＦＭ変調信号の識別時に発生する直線歪をより正確に抑圧することができる。
【図面の簡単な説明】
【図１】本発明の第１の実施形態に係るＦＭ変復調装置の構成を示すブロック図
【図２】本発明の第１の実施形態に係るＦＭ変調信号の識別動作を説明するための模式図
【図３】本発明の第２の実施形態に係るＦＭ変復調装置の構成を示すブロック図
【図４】本発明の第３の実施形態に係るＦＭ変復調装置の構成を示すブロック図
【図５】本発明の第４および第５の実施形態に係るＦＭ変復調装置におけるＦＭレーザおよび局発光源の動作条件を説明するための模式図
【図６】従来のＦＭ変調装置の構成を示すブロック図
【図７】ＦＭ変調信号の識別時における直線歪の発生を説明するための模式図
【符号の説明】
１００  信号源
１０１  ＦＭレーザ
１０２  局発光源
１０３  光検波部
１０４  伝送部
１０５  識別部
１０６  分岐部
１０７  遅延部
１０８  論理演算部
１０９  フィルタ
１１０  制御部
１１０１  第２の光検波部
１１０２  ＦＭ復調部
１１０３  動作条件制御部
２０１  振幅調整部
【図１】
0003918249.tif 000010
【図２】
0003918249.tif 000011
【図３】
0003918249.tif 000012
【図４】
0003918249.tif 000013
【図５】
0003918249.tif 000014
【図６】
0003918249.tif 000015
【図７】
0003918249.tif 000016